(57)【要約】【課題】  小型化及び低剛性化したエンジン等において、シリンダボア等のシール対象穴近傍の変形を防止できると共に、適正なシール性能を発揮することができるメタルガスケットを提供する。【解決手段】  シール対象穴１１の周囲に平面視で蛇行した部分を有するうねりビード１２を形成したメタルガスケット１０Ａにおいて、前記うねりビード１２のシール対象穴１１側の内周側のうねりの蛇行形状と、外周側のうねりの蛇行形状を異ならせて形成し、うねりビード１２の内周側の圧縮抵抗を外周側の圧縮抵抗をより小さく形成する。【選択図】  図３
2006161915.tif 000002
【特許請求の範囲】
【請求項１】
シール対象穴の周囲に平面視で蛇行した部分を有するうねりビードを形成したメタルガスケットにおいて、前記うねりビードのシール対象穴側の内周側のうねりの蛇行形状と、外周側のうねりの蛇行形状を異ならせて形成し、うねりビードの内周側の圧縮抵抗を外周側の圧縮抵抗をより小さく形成したことを特徴とするメタルガスケット。
【請求項２】
前記うねりビードの形状を、シール対象穴を一周する間において、部分的に変化させて形成したことを特徴とする請求項１記載のメタルガスケット。
【請求項３】
前記うねりビードの外周側にビードを設けて二重以上のシールラインでシールすることを特徴とする請求項１又は２に記載のメタルガスケット。
【請求項４】
前記外周側のビードをハーフビードで形成したことを特徴とする請求項１〜３のいずれか１項に記載のメタルガスケット。
【請求項５】
前記うねりビードの凸部と該うねりビードに隣接するビードの凸部を互いに逆向きに形成したことを特徴とする請求項４に記載のメタルガスケット。
【請求項６】
前記外周側のビードをうねりビードで形成したことを特徴とする請求項３〜５のいずれか１項に記載のメタルガスケット。
【請求項７】
一方向に配置された３以上のシール対象穴の両端側のシール対象穴に対しては、前記うねりビードと前記うねりビードの外周側に設けたうねりビードで二重にシールすると共に、前記両端側のシール対象穴以外のシール対象穴に対しては、前記うねりビードを設けて一重にシールすることを特徴とする請求項１記載のメタルガスケット。
【発明の詳細な説明】
【技術分野】
【０００１】
本発明は、内燃機関のシリンダヘッドとシリンダブロック等の二つの部材の間に挟持して、気体や液体に対するシールを行うメタルガスケットに関するものである。
【背景技術】
【０００２】
自動車のエンジンのシリンダヘッドとシリンダブロック（シリンダボディ）等の接合面をシールする場合に、メタルガスケットを間に挟持して燃焼ガスや冷却水や潤滑オイル等をシールしている。
【０００３】
このガスケットは、締結ボルトにより締結されるエンジン部材の結合部分に挟持されて流体をシールしており、その主流はメタルガスケットである。このメタルガスケットは、エンジンの軽量化および製造コストの低減等の要請から、多数の金属基板を積層した積層タイプから、一枚や二枚の金属基板で形成する単純な構造のメタルガスケットに移行して来ている。
【０００４】
そのため、構成板が一枚や二枚となるため、また、エンジンの軽量化の面から使用可能な材料も制限されてきているため、シール手段の種類、個数も制限され、比較的単純化したシール手段を使用せざるを得なくなってきており、主に構成板に形成されたビードの圧縮復元性により、そのシール機能を発揮している。
【０００５】
そして、最近のエンジンの軽量化、小型化及び高出力化等による高性能化や、低公害化が進展する中で、エンジンの低剛性化や最大燃焼圧力（Ｐｍａｘ）の増大により、要求されるシール性能を満たすことが難しくなってきている。
【０００６】
例えば、シリンダヘッドガスケットの場合には、特にディーゼルエンジンの最大出力の増加が著しく、最大燃焼圧力が上昇しても、エンジンのコストや生産ラインの都合から、この状況に合わせて、ボルトの太さ、材質及び締め付け力等の締め付け条件を変更しないのが普通である。
【０００７】
その結果、ガスケット側に、シリンダ内の爆発時のヘッドリフト量の増大に見合う追従性が要求されることになる。また、それと共に、ガスケットを強く叩くパッシング現象が生じ、シールビードのへたり（クリープリラクゼーション）が急激に進んでシール面圧が低下して、ガス漏れが生じるという不具合が生じやすくなるので、この問題への対処も要求される。
【０００８】
また、排気マニホールド（エキゾーストマニホールド）ガスケットの場合には、エンジンの肉薄化が進んだ結果、低剛性化しているために、マニホールドの熱変形量が増加するので、ガスケットのガスシールが難しくなるという問題がある。
【０００９】
一方、従来使用されているシール手段の中心となっているビードは、シール対象穴周りの平面視で円形状のフルビードであるが、このビードには、シリンダヘッドの垂直方向の動きに起因するパッシング現象により、ビード下部即ち股の部分が徐々に開き、やがてビードが潰れてシール面圧が急激に減少し、シール性能が著しく劣化するという問題がある。
【００１０】
そのため、本発明者は、十分なシール用面圧を得ることができない一部の液体穴の周囲に平面視で波形形状の波形ビード（うねりビード）を設けて、液体穴の周囲を確実にシールするように構成した内燃機関用の金属ガスケットを提案している（例えば、特許文献１参照。）。
【００１１】
また、本発明者は、流体穴の周囲に内側ビードとこの内側ビードを囲む外側波形ビードを設け、この外側波形ビードによって広い面圧を付与する二重ビードを備えた金属ガスケットを提案している（例えば、特許文献２参照。）。
【００１２】
この波形ビードは、シールビードを平面視で水平方向に波形にうねらせて形成し、ビードの全長を長く取って，これにより、ビードの受圧面積を大きくし、また、ビードをうねらせることにより、潰れ難くしている。
【００１３】
この波形ビードをエンジンのシリンダヘッドガスケットのシリンダボア等のシールに用いることにより、圧縮抵抗とスプリング性を強化し、最大燃焼圧力が高いエンジンのヘッドリフト増大への追従と、強パッシングによるビードのへたりの増大を抑制して、シール性を確保することが考えられる。
【００１４】
しかし、単に波形ビード（うねりビード）をメインシールに採用し、シリンダボア等のシール対象穴の周囲に配置しただけであると、高い圧縮抵抗と強いスプリング性のためにシール対象穴近傍に大きな面圧がかかる。そのため、低剛性になっているシール対象穴近傍の変形が促進される。その結果、シール機能が十分に働かなくなり、適正なシール性能を得ることが難しくなる。
【特許文献１】特許第３０２６０８４号公報
【特許文献２】特許第３０５７４４５号公報
【発明の開示】
【発明が解決しようとする課題】
【００１５】
本発明は上記の問題を解決するためになされたものであり、本発明の目的は、小型化及び低剛性化したエンジン等において、シリンダボア等のシール対象穴近傍の変形を防止できると共に、適正なシール性能を発揮することができるメタルガスケットを提供することにある。
【課題を解決するための手段】
【００１６】
上記の目的を達成するための本発明に係るメタルガスケットは、シール対象穴の周囲に平面視で蛇行した部分を有するうねりビードを形成したメタルガスケットにおいて、前記うねりビードのシール対象穴側の内周側のうねりの蛇行形状と、外周側のうねりの蛇行形状を異ならせて形成し、うねりビードの内周側の圧縮抵抗を外周側の圧縮抵抗をより小さく形成して構成する。
【００１７】
この内周側と外周側の蛇行形状を異ならせる具体的な形状としては、内周側のうねりの波形を大きく、即ち曲率を大きくする一方で、外周側のうねりの波形を小さく、即ち曲率を小さくした形状や、平面視で内周側に凸となる部分のビード幅を広く、平面視で外周側に凸となる部分のビード幅を狭くする形状等がある。
【００１８】
この構成により、シリンダボア等のシール対象穴側の圧縮抵抗を小さく抑えて、シール対象穴近傍に大きな面圧がかからないようにすると共に、ボア変形等のシール対象穴近傍の変形に対する影響が少ない外周側の圧縮抵抗を大きくしているので、シール対象穴近傍の変形を避けながら、総合的にシール面圧を高めて、耐へたり性を向上させ、シール性を強化できる。
【００１９】
また、上記のメタルガスケットにおいて、前記うねりビードの形状を、シール対象穴を一周する間において、部分的に変化させて形成する。このうねりビードの部分的な形状変化の構成としては、うねりの間隔、ビードの幅、うねりのピッチを部分的に変化させる構成がある。
【００２０】
この構成により、締結ボルトの位置に起因する押圧力の差や、温度差に起因する熱変形量の差に対応した耐へたり性及びシール性能を発揮できるようになる。この温度差は、例えば、排気ポート側の温度は吸気ポート側の温度よりも高くなり、また、冷却水が通過する部分の近傍は他の部分よりも温度が低くなる等の原因で生じる。
【００２１】
また、上記のメタルガスケットにおいて、前記うねりビードの外周側にビードを設けて二重以上のシールラインでシールするように構成する。このビードはフルビードでもハーフビードでもよい。この構成により、内周側にうねりビードを配置して、また、シール対象穴近傍の変形（ボア変形等）に影響の少ない外周側にビードを設けて、シール性を強化しているので、シール対象穴近傍の変形への影響を少なくしながら、シール性能を高めることができる。
【００２２】
上記のメタルガスケットにおいて、前記外周側のビードをハーフビードで形成すると、フルビードよりも圧縮抵抗を小さくできる。また、前記うねりビードの凸部と該うねりビードに隣接するビードの凸部を互いに逆向きに形成すると、ガスケット上下面にそれぞれ高い面圧（ビード頂部）の確保ができる。
【００２３】
そして、上記のメタルガスケットにおいて、前記外周側のビードをうねりビードで形成して構成する。なお、この外周側のうねりビードは、必ずしも、内周側のうねりビードのように、このうねりビードにおいて内周側のうねりの蛇行形状と、外周側のうねりの蛇行形状を異ならせて形成する構成でなくてもよい。
【００２４】
この構成により、内周側のうねりビードによりシール対象穴側の圧縮抵抗を小さく抑えて、シール対象穴近傍の変形を避けることができ、また、シール対象穴近傍の変形に影響の少ない外周側のうねりビードの形状を適宜選択することにより外側の圧縮抵抗の大きさをきめ細かく調整できるので、シール対象穴近傍の変形への影響を少なくしながら、適正なシール性能を得ることができる。
【００２５】
また、上記のメタルガスケットにおいて、一列に配置された３以上のシール対象穴の両端側のシール対象穴に対しては、前記うねりビードと前記うねりビードの外周側に設けたうねりビードで二重にシールすると共に、前記両端側のシール対象穴以外のシール対象穴に対しては、前記うねりビードを設けて一重にシールするように構成する。
【００２６】
この構成によれば、構造的にバネ性に優れたうねりビードを採用し、かつ、両端のシール強化のために、シール対象穴の周囲にうねりビードを二重に配置しているので、エンジンの肉薄設計により、低剛性化したために、熱変形が増大し、特に長手方向の両端の変形量が大きくなり、シール性が悪化するような場合でも、熱変形に追従でき、十分なシール機能を有した適正なシール性能を得ることができる。従って、高性能エンジンの排気マニホールドに対して使用される排気マニホールドガスケットにおいて、特に効果を奏することができる。
【００２７】
なお、本発明は、単一の金属基板で形成される単一板金属製ガスケットのみならず、複数枚の金属基板を積層した積層型金属製ガスケットにも適用可能である。
【発明の効果】
【００２８】
本発明のメタルガスケットによれば、シリンダボア等のシール対象穴側に大きな面圧がかからないように内周側の圧縮抵抗を小さく抑え、シール対象穴近傍の変形に影響の少ない外周側の圧縮抵抗を大きくして、うねりの大小をシール対象穴側とその反対側とで相対的に圧縮抵抗を調整することによって、シール対象穴近傍の変形への影響を抑制しながら、総合的には面圧を高め、耐へたり性を向上させることができる。
【００２９】
従って、シール対象穴近傍の変形を防止しながら、シール性を強化できるので、高性能エンジンに対するシール性能も十分に確保できるメタルガスケットを提供できるようになる。
【発明を実施するための最良の形態】
【００３０】
次に、図面を参照して本発明に係るメタルガスケットの実施の形態について、シリンダヘッドガスケットと排気ガスケットを例にして説明する。
【００３１】
図１〜図１１に示す本発明に係る第１〜第４の実施の形態のメタルガスケット１０Ａ〜１０Ｇは、エンジンのシリンダヘッドとシリンダブロック（シリンダボディ）との間に挟持されるシリンダヘッドガスケットであって、シリンダボア１１の高温・高圧の燃焼ガス、及び、冷却水通路１５や冷却オイル通路等の冷却水やオイル等の液体をシールする。
【００３２】
また、図１２に示す本発明に係る第５の実施の形態のメタルガスケット２０は、エンジンの排気マニホールド（エキゾーストマニホールド）の部分をシールする排気マニホールドガスケットであって、高温の排気ガスをシールする。
【００３３】
なお、図１〜図１２は、模式的な説明図であり、メタルガスケット１０Ａ〜１０Ｇ，２０の平面視における縦横比や、断面図や断面を含む斜視図におけるビードの波形形状の波形の数や幅や縦横比等を実際のものとは異ならせて、より理解し易いように表示している。
【００３４】
図１〜図１１に示す第１〜第４の実施の形態のシリンダヘッドガスケット１０Ａ〜１０Ｇは一枚の金属基板１０で構成される。この金属基板１０は、ステンレス焼鈍材（アニール材）や軟鋼板等で形成され、シリンダブロック等のエンジン部材の形状に合わせて製造され、シリンダボア用穴１１、冷却水用の水穴１５、エンジンオイルの循環のためのオイル穴（図示しない）、締結ボルト用のボルト穴１６等が形成される。
【００３５】
そして、図１〜図４に示す第１の実施の形態では、シリンダヘッドガスケット１０Ａにおいてシール対象穴であるシリンダボア（燃焼室穴）１１の周囲に平面視で蛇行した部分を有するうねりビード（波形ビード）１２を形成する。
【００３６】
このうねりビード１２では、蛇行させてうねり形状に形成することにより、うねりビード１２の全長を長く取って、受圧面積を大きくすることができ、また、ビードが潰れ難くできる。これにより、圧縮抵抗とスプリング性を強化できる。
【００３７】
更に、本発明では、図３又は図４に示すように、このうねりビード１２のシリンダボア１１側の内周側のうねりの蛇行形状と、外周側のうねりの蛇行形状を異ならせて形成し、うねりビード１２の内周側の圧縮抵抗の大きさを外周側の圧縮抵抗をより小さく形成する。
【００３８】
図３の構成では、うねりビード１２の内周側のうねりの波形を大きく、即ち曲率を大きくする一方で、外周側のうねりの波形を小さく、即ち曲率を小さく形成している。また、図４の構成では、うねりビード１２の平面視で内周側に凸となる部分のビード幅を広く、平面視で外周側に凸となる部分のビード幅を狭く形成している。
【００３９】
これらの構成により、シリンダボア１１側の圧縮抵抗を小さく抑えて、シリンダボア１１側に大きな面圧が作用しないようにしているので、ボア変形を避けることができる。また、ボア変形に影響の少ない外周側の圧縮抵抗を大きくしているので、総合的にシール面圧を高めて、耐へたり性（耐クリープリラクゼーション）を向上させ、シール性を強化できる。
【００４０】
従って、シリンダヘッドガスケットのシール部のなかでも、高温高圧の燃焼ガスに直接触れるために、シール難易度が最も高い箇所であり、また、エンジンの最大燃焼圧力（Ｐｍａｘ）の増大に伴うヘッドリフトの増加によって、最も影響を受けやすい所である燃焼室穴１１のシールに対して、耐へたり性及び追従性の良好なシール手段となる。つまり、最高燃焼圧力が高いエンジンにおけるヘッドリフト増大に対して追従可能で、また、強いパッシングによるビードのへたりの増大を抑制して、シール性を向上できるシール手段となる。
【００４１】
図５〜図７に示す第２の実施の形態では、第１の実施の形態と同様に、シリンダヘッドガスケット１０Ｂ、１０Ｃ及び１０Ｄにおいてシール対象穴であるシリンダボア（燃焼室穴）１１の周囲に平面視で蛇行した部分を有するうねりビード１２を形成する。このうねりビード１２のシリンダボア１１側の内周側のうねりの蛇行形状と、外周側のうねりの蛇行形状を異ならせて形成し、うねりビード１２の内周側の圧縮抵抗の大きさを外周側の圧縮抵抗をより小さく形成する。
【００４２】
この第２の実施の形態では、更に、うねりビード１２の形状をシリンダボア１１を一周する間において、図５〜図７に示すように、部分的に変化させて形成する。この構成により、シリンダボア１１の周囲方向に関する、ボルト締結による押圧力の大きさや、エンジン運転による熱変形量の大きさに、きめ細かく対応する。
【００４３】
つまり、うねりビード１２の形状を、シリンダボア１１を一周する間において、うねりビード１２のうねりの間隔、ビードの幅やうねりのピッチ等を部分的に変化させるように構成することにより、部分的に圧縮抵抗や復元性や耐クリープ性を異ならせて、締結ボルトの位置に起因する押圧力の差や、温度差に起因する熱変形量の差に対応した耐へたり性及びシール性能を発揮できるようにする。
【００４４】
図５のシリンダヘッドガスケット１０Ｂでは、うねりビード１２のうねりの間隔を吸気側（図の上側）よりも排気側（図の下側）で狭く形成している。うねりビード１２のうねりの大きさが同一であっても、うねりの間隔が異なることにより発生する面圧は異なるので、シリンダボア１１の周囲のシール条件が周方向に大きく異なる場合にうねりの間隔を変えて対応する。一般的にうねりの間隔の狭いエリアでは、高いシール面圧や耐へたり性が得られる。
【００４５】
図６のシリンダヘッドガスケット１０Ｃでは、うねりビード１２のビードの幅を吸気側（図の上側）よりも排気側（図の下側）で狭く形成している。うねりビード１２のうねりの大きさが同一であっても、ビードの幅が異なることにより発生する面圧は異なるので、シリンダボア１１の周囲のシール条件が周方向に大きく異なる場合にビードの幅を変えて対応する。一般的にビードの幅の狭いエリアでは、高いシール面圧や耐へたり性が得られる。
【００４６】
また、図７のシリンダヘッドガスケット１０Ｄでは、うねりビード１２のうねりのピッチを部分的に変化させて、吸気側（図の上側）よりも排気側（図の下側）で小さく形成している。うねりビード１２のうねりのピッチにより、発生する面圧は異なるので、シリンダボア１１の周囲のシール条件が周方向に大きく異なる場合にうねりのピッチを変えて対応する。一般的にピッチの小さいエリアでは、高いシール面圧や耐へたり性が得られる。
【００４７】
従って、要求されるシール性能が局所的に異なるためにシール条件が厳しくなっているようなシリンダボア１１に対しても、ビードのうねりの間隔、ビードの幅やうねりのピッチなどを適宜を変化させることにより、適切に対応できる。
【００４８】
図８〜図１０に示す第３の実施の形態では、シリンダヘッドガスケット１０Ｅ及び１０Ｆのシリンダボア１１のシール強化を図るために、ハーフビード１３ｈとうねりビード１２、又はフルビード１２とうねりビード１３を組み合わせる。
【００４９】
図８、図９では、一次シールに第１の実施の形態と同様な平面視で蛇行するうねりビード１２を用い、その外周側に二次シールとしてのハーフビード１３ｈを配置する。
【００５０】
このうねりビード１２は、第１の実施の形態のうねりビードと同様に、このうねりビード１２のシリンダボア１１側である内周側のうねりの蛇行形状と、外周側のうねりの蛇行形状を異ならせて形成し、うねりビード１２の内周側の圧縮抵抗の大きさを外周側の圧縮抵抗より小さく形成する。また、この外周側のハーフビード１３ｈは、平面視で円形状に形成される。
【００５１】
この外周側のビードには、図８及び図９では、ハーフビード１３ｈを用いているが、フルビードを用いて、ハーフビード１３ｈを用いた場合よりも、外周側の二次シールの圧縮抵抗を大きくすることもできる。
【００５２】
そして、図１０では一次シールにフルビード１２を配置すると共に、その外周側の二次シールに、第１の実施の形態と同様な平面視で蛇行するうねりビード１３を配置する。この図１０では、フルビード１２を用いて、ハーフビードを用いた場合よりも、内周側の一次シールの圧縮抵抗を大きくしているが、要求されるシール性能に従ってハーフビードを用いることもできる。
【００５３】
更に、図１０に示すガスケット１０Ｆでは、一次シールのフルビード１２の凸部と、二次シールのうねりビード１３の凸部とが互いに逆向きになるように配置している。このように、ビードの凸部を互いに逆向きに形成すると、ガスケット上下面にそれぞれ高い面圧（ビード頂部）の確保ができる。
【００５４】
そして、この構成によれば、ボア変形に影響の少ない内周側にフルビード１２を設けて、シール性を強化し、更に、外周側にうねりビード１３を配置して、シリンダボア１１側の圧縮抵抗を小さく抑えて、シリンダボア１１側に大きな面圧がかからないようにしているので、ボア変形を避けることができる。従って、ボア変形への影響を少なくしながら、シール性能を高めることができる。
【００５５】
特に、軽量小型エンジンでは、エンジンの肉薄化のために全体的な低剛性化が進み、シリンダボア１１周囲の剛性に影響が出てきて、ガスケットを装着した時、シリンダボア１１周囲の低剛性化のためにシール面圧の不均一性が大きくなり、不利なシール条件になるが、一次シールのビード１２ｈ、１２の外側に、二次シールのうねりビード１３を設けているので、シール帯を二重にして、この不利なシール条件を補うことができる。
【００５６】
図１１に示す第４の実施の形態のメタルガスケット１０Ｇでは、うねりの大きさの異なるうねりビード１２、１３を同心円状に並列に二重配置して形成する。
【００５７】
この内周側うねりビード１２は、第１の実施の形態と同様に、シリンダボア１１側の内周側のうねりの蛇行形状と、外周側のうねりの蛇行形状を異ならせて形成し、うねりビード１２の内周側の圧縮抵抗の大きさを外周側の圧縮抵抗をより小さく形成する。
【００５８】
そして、この内周側うねりビード１２の外側に外周側うねりビード１３を設けるが、内周側ビード１２のうねりの大きさよりも、外周側ビード１３のうねりの大きさを小さくして形成し、シリンダボア１１の外周側のシール面圧及び耐クリープ性をより強化して、シール強化を図る。
【００５９】
なお、この外周側のうねりビード１３は、必ずしも、内周側のうねりビード１２のように、このうねりビード１３において内周側のうねりの蛇行形状と、外周側のうねりの蛇行形状を異ならせて形成する構成でなくてもよい。
【００６０】
この第４の実施の形態のメタルガスケット１０Ｇの構成を採用すると、第３の実施の形態のメタルガスケット１０Ｅ，１０Ｆよりも、シリンダボア１１の外周側のシール面圧及び耐クリープ性をより強化できる。
【００６１】
図１２に示す第５の実施の形態のメタルガスケット２０は、排気マニホールドをシールするガスケットである。この排気マニホールドに用いるガスケットは、エンジンの低剛性化と、排気ガスによる高温のために、ガスケットを締め付けているフランジの熱変形が大きくなる。そのため、シールが困難に陥るケースが多い。
【００６２】
これに対して、排気マニホールドガスケット２０では、図１２に示すように、中央側のシール対象穴２１Ａに対しては内周側うねりビード２２Ａのみを用いると共に、熱変形が特に大きくなる、両端側のシール対象穴２１Ｂに対しては、内周側うねりビード２２Ｂと外周側うねりビード２３Ｂを設けて、二重配置する。
【００６３】
図１２に示すように、中央側のシール対象穴２１Ａに対する内周側うねりビード２２Ａは、第１の実施の形態のうねりビード１２と同様に、シール対象穴２１Ａ側の内周側のうねりの蛇行形状と、外周側のうねりの蛇行形状を異ならせて形成し、うねりビード２２Ａの内周側の圧縮抵抗の大きさを外周側の圧縮抵抗をより小さく形成する。
【００６４】
また、両端側のシール対象穴２１Ｂに対する内周側うねりビード２２Ｂは、うねりビード２２Ａと同様に、シール対象穴２２Ｂ側の内周側のうねりの蛇行形状と、外周側のうねりの蛇行形状を異ならせて形成し、うねりビード２２Ｂの内周側の圧縮抵抗の大きさを外周側の圧縮抵抗をより小さく形成する。
【００６５】
そして、この内周側うねりビード２２Ｂの外側に外周側うねりビード２３Ｂを設けるが、この外周側のうねりビード２３Ｂは、必ずしも、内周側のうねりビード２２Ｂのように、このうねりビード２３Ｂにおいて内周側のうねりの蛇行形状と、外周側のうねりの蛇行形状を異ならせて形成する構成でなくてもよい。
【００６６】
この構成により、熱変形に対する追従性も向上させると共に、うねりビード２２Ａ，２２Ｂ，２３Ｂの優れた耐へたり性を利用して、シール性能及び耐久性を向上させる。
【００６７】
上記の構成の第１〜第５の実施の形態のガスケット１０Ａ〜１０Ｇ，２０によれば、シリンダボア間において、うねりビード１２，１３，２２Ａ，２２Ｂ，２３Ｂの波形形状部分は受圧面積が大きくなるので、高い締め付け圧に耐えられ、かつ、耐へたり性に優れたシール性能を持つビードとすることができる。
【００６８】
従って、高い締め付け圧に耐えられ、耐へたり性に優れると共に、広い範囲でシール面圧を発生でき、シリンダボア等のシール対象穴を確実にシールできるシリンダヘッドガスケット及びエキゾーストマニホールドガスケットとなる。
【００６９】
なお、上記の実施の形態では、単一の金属基板で形成される単一板金属製ガスケットとについて説明したが、本発明は複数枚の金属基板を積層した積層型金属製ガスケットにも適用できる。
【図面の簡単な説明】
【００７０】
【図１】本発明に係る第１の実施の形態のメタルガスケットを示す平面図である。
【図２】図１のうねりビードを示す一部断面を含む部分斜視図である。
【図３】内外周でうねりの波形が異なるうねりビードの拡大平面図である。
【図４】内外周でビード幅が異なるうねりビードの拡大平面図である。
【図５】本発明に係る第２の実施の形態のうねりの間隔が周方向に部分的に異なるメタルガスケットを示す平面図である。
【図６】本発明に係る第２の実施の形態のビードの幅が周方向に部分的に異なるメタルガスケットを示す平面図である。
【図７】本発明に係る第２の実施の形態のうねりのピッチが周方向に部分的に異なるメタルガスケットを示す平面図である。
【図８】本発明に係る第３の実施の形態のうねりビードの外周側にハーフビードを配置したガスケットを示す平面図である。
【図９】図８のうねりビードとハーフビードを示す一部断面を含む部分斜視図である。
【図１０】本発明に係る第３の実施の形態のフルビードの外周側にうねりビードを、それぞれの凸部が互いに逆向きになるように配置したメタルガスケットを示す一部断面を含む部分斜視図である。
【図１１】本発明に係る第４の実施の形態のうねりの大きさの異なるうねりビードを二重配置したメタルガスケットを示す平面図である。
【図１２】本発明に係る第５の実施の形態の中央側のシール対象穴に対してはうねりビードを一重に配置し、両端側のシール対象穴に対してはうねりビードを二重に配置した排気マニホールドガスケットを示す平面図である。
【符号の説明】
【００７１】
１０Ａ〜１０Ｇ    シリンダヘッドガスケット
１２    うねりビード（内周側ビード）
１３    フルビード（外周側ビード）
１３ｈ  ハーフビード（外周側ビード）
１１    シリンダボア（シール対象穴）
１５    水穴
１６    ボルト穴
２０    排気マニホールドガスケット
２１Ａ，２１Ｂ  シール対象穴
２２Ａ，２２Ｂ  うねりビード（内周側ビード）
２３Ｂ  うねりビード（外周側ビード）
【図１】
2006161915.tif 000003
【図２】
2006161915.tif 000004
【図３】
2006161915.tif 000005
【図４】
2006161915.tif 000006
【図５】
2006161915.tif 000007
【図６】
2006161915.tif 000008
【図７】
2006161915.tif 000009
【図８】
2006161915.tif 000010
【図９】
2006161915.tif 000011
【図１０】
2006161915.tif 000012
【図１１】
2006161915.tif 000013
【図１２】
2006161915.tif 000014